(57)【要約】【課題】細径の釣竿であっても、釣竿バランスを十分に調整でき、操作時に緩みや脱落等が生じることのないバランサを着脱可能に装着した釣竿を提供する。【解決手段】本発明の釣竿は、竿杆１ａの後端側に、軸方向に沿って握持部材２を装着しており、竿杆の外径をｄ、握持部材２の外径をＤとした場合、外径Ｄ１が、ｄよりも大きくＤよりも小さい高比重部材１０を、竿杆１ａの後端縁Ｐから後方に突出した状態で着脱可能に装着したことを特徴とする。【選択図】    図３
2005130711.tif 000002
【特許請求の範囲】
【請求項１】
竿杆後端側に、軸方向に沿って握持部材を装着した釣竿であって、
前記竿杆の外径をｄ、握持部材の外径をＤとした場合、
外径Ｄ１が、前記ｄよりも大きく前記Ｄよりも小さい高比重部材を、前記竿杆後端縁から後方に突出した状態で着脱可能に装着したことを特徴とする釣竿。
【請求項２】
前記握持部材は、前記高比重部材の外側を覆っていることを特徴とする請求項１に記載の釣竿。
【請求項３】
前記高比重部材の外周面には、尻栓が設けられており、
前記高比重部材と尻栓との間に弾性部材を介在させたことを特徴とする請求項１又は２に記載の釣竿。
【請求項４】
前記高比重部材には、細径部が形成されており、
前記細径部は、前記竿杆の内部に挿入されていることを特徴とする請求項１から３のいずれか1項に記載の釣竿。
【請求項５】
前記尻栓と握持部材との間には、竿尻リングが介在されており、
前記握持部材は、前記竿尻リングの外面に固定されていることを特徴とする請求項３又は４に記載の釣竿。
【請求項６】
前記竿尻リングの内面に前記尻栓の外面が螺合されると共に、前記尻栓の内面に前記高比重部材の外面が螺合されることを特徴とする請求項５に記載の釣竿。
【請求項７】
前記高比重部材と竿杆内面との間に、ガタ付き防止部材を配置したことを特徴とする請求項４から６のいずれか１項に記載の釣竿。
【発明の詳細な説明】
【技術分野】
【０００１】
本発明は、竿尻部分にバランスウエイト（バランサ）を装着した釣竿に関する。
【背景技術】
【０００２】
従来、釣竿の竿尻部分にバランサを装着した釣竿が知られている。このようなバランサは、釣人の好みに応じた釣竿バランスが得られるように重量調節するものであり、様々な構成のものが知られている。例えば、特許文献１には、竿の後端部に外ネジ（雄ネジ）を形成しておき、ここに内ネジ（雌ネジ）が形成されたバランサを着脱可能に装着した釣竿が開示されている。また、特許文献２には、竿管の後端部に、それよりも小径のバランサを内蔵させ、キャップによって閉塞した構造の釣竿が開示されている。
【特許文献１】実開平５−３７０７１号
【特許文献２】特開２００２−１２５５２９号
【発明の開示】
【発明が解決しようとする課題】
【０００３】
上記した特許文献１に開示された釣竿では、バランサが、釣竿後端部分でむき出し状態になるため、釣竿を操作した際に、当たりが生じてしまい、操作性が悪くなってしまうと共に、それに伴って緩みが生じやすく、脱落し易いという問題がある。また、上記した特許文献２に開示された釣竿では、バランサが露出しないため、見栄えの面では向上するものの、細径の釣竿（ルアーロッドや軽量な船竿）では、十分な重量を得ることができず、所望のバランスが得られにくいという問題がある。すなわち、細径の釣竿では、ある程度の重量を得ようとする場合、軸方向に長いバランサを内蔵させる必要があるが、このようなバランサでは、重量が釣竿前方側にシフトする傾向となるため、重心位置を効率的に後方側にシフトすることができず、釣竿バランスが十分に調整できないという問題がある。
【０００４】
本発明は、上記した問題に基づいてなされたものであり、細径の釣竿であっても、釣竿バランスを十分に調整でき、操作時に緩みや脱落等が生じることのないバランサを着脱可能に装着した釣竿を提供することを目的とする。
【課題を解決するための手段】
【０００５】
上記した目的を達成するために、本発明の釣竿は、竿杆後端側に、軸方向に沿って握持部材を装着した構成であって、前記竿杆の外径をｄ、握持部材の外径をＤとした場合、外径Ｄ１が、前記ｄよりも大きく前記Ｄよりも小さい高比重部材を、前記竿杆後端縁から後方に突出した状態で着脱可能に装着したことを特徴とする。
【０００６】
このような構成の釣竿では、高比重部材が竿杆の外径より大きいため、細径の釣竿（ルアーロッドや軽量の船竿等）に適用することが可能となり、しかも、その外径は、竿杆に装着される握持部材よりも小径に形成されていることから、径方向外側に突出することはなく、見栄えが良くなると共に、使用時に当たりなどがなくなって、緩みや脱落などを効果的に防止することができる。また、高比重部材は、竿杆よりも大径に形成されていることから、重心位置を効率的に後方側にシフトすることができ、効果的に釣竿バランスの調整が行なえる。
【０００７】
なお、上記した構成において、握持部材が装着される「竿杆」には、管状体に構成されたもの、ソリッド状に形成されたもの、両者を複合したものが含まれる。また、握持部材は、釣竿操作時に握持保持されるように竿杆の外周面に設けられていれば良く、長手方向に連続したもの、分断されたもの等が含まれる。さらに、前記した高比重部材は、その外周が握持部材の外径より小さく形成されていれば良く、握持部材によって覆われていたり、或いは、握持部材に装着される別の部材（握持されるような部材も含む）によって覆われたものであっても良い。
【発明の効果】
【０００８】
本発明に係る釣竿によれば、ルアーロッド等の細径な釣竿であっても、それよりも大径な高比重部材を装着するので、釣竿バランスを十分に調整することが可能となる。また、高比重部材は、握持保持される握持部材より小径に形成されていることから、操作性が低下することもなく、かつ緩みや脱落等が効果的に防止される。
【発明を実施するための最良の形態】
【０００９】
以下、本発明の実施形態について図面を参照しながら説明する。  
図１は、本発明に係る釣竿の概略構成を示す図であり、図２は、握持部材部分における拡大図である。
【００１０】
図１に示す釣竿１は、複数の管状に形成された竿杆１ａと、これら竿杆１ａの元竿側に取り付けられた握持部材２と、この握持部材２よりも先端側に装着されたリール脚固定装置３とを備えて構成されている。リール脚固定装置３には、移動フード３ａ及び固定フード３ｂが設けられており、これらの間に各種のリール５０のリール脚が装着されて着脱可能となっている。
【００１１】
上記した釣竿１は、特別な構成に限定されることはなく、振り出し式、並継式、１本竿など各種形態のものが含まれ、また、リール５０から繰り出される釣糸を案内する方式として、図に示すような外ガイド１ｂを多数設けた方式以外にも、中通し式に構成したものであっても良い。また、上記した握持部材２は、元竿杆の長手方向に沿って、その竿杆１ａの外側に設けられたものであれば良く、それ自身の素材としては、握持感が良好となるように、柔軟性のある部材（コルク、ＥＶＡ、天然ゴム、合成ゴム、エラストマー、発泡材等）によって形成することが好ましい。この場合、握持部材２は、竿杆１ａに対して、インジェクション成形して一体的に形成したり、或いは竿杆１ａの外面に接着剤等によって取着される。
【００１２】
本実施形態の握持部材２は、竿杆１ａの後端縁よりも後方に突出して竿杆に装着されており、この突出部分に高比重部材（バランサ）１０が着脱可能に装着されている。以下、図３から図６を参照して、高比重部材１０の構成、及びその装着方法（高比重部材１０を着脱可能にする構成部材）について説明する。なお、これらの図において、図３は、高比重部材の装着部分を示す断面図、図４は、高比重部材の構成を示す図、図５は、竿尻リングの構成を示す図、そして、図６は、尻栓の構成を示す図であって、（ａ）は、部分縦断面図、（ｂ）は、後方から見た図である。
【００１３】
図３に示すように、握持部材２は、竿杆１ａの後端縁Ｐよりも後方に突出するように竿杆に装着されており、その突出部分は薄肉厚に形成されて、その内側には、高比重部材１０が着脱可能に装着されている。高比重部材１０は、釣竿全体の重心位置を後方にシフトさせて重量バランスを向上するものであれば良く、例えば、比重が比較的大きな部材（鉄、銅、ニッケル、すず、亜鉛、ステンレス、金、銀、モリブデン、鉛など）を所定の形状に加工して装着される。
【００１４】
具体的には、図４に示すように、高比重部材１０は、握持部材２の薄肉厚部分の内側に位置する円柱形状を成した本体部１０ａと、必要に応じて（よりウエイトを稼ぎたい場合）、竿杆１ａの内部に位置する円柱状の挿入部１０ｂとを有している。従って、高比重部材は、突出する握持部材２の内側に位置する本体部１０ａのみによって構成されていても良い。また、高比重部材１０は、竿杆１ａの外径をｄ、握持部材の外径をＤとした場合、竿杆１ａの後端縁から露出する部分である本体部１０ａの外径Ｄ１は、ｄ＜Ｄ１＜Ｄとなるように形成されている。この本体部１０ａの外周領域には、後述する尻栓と螺合する雄ネジ部１０ｃが形成されており、かつ竿杆側には、径方向に突出する段部１０ｄが形成されている。なお、竿杆１ａをソリッド構造とした場合、挿入部１０ｂが位置できるように凹部を竿杆後端に形成しておけば良い。
【００１５】
そして、上記した高比重部材１０が安定して保持できるように、図５に示すような、金属等によって形成された竿尻リング１２が握持部材２の内側に装着される。竿尻リング１２は、握持部材２の薄肉厚領域の内側に位置する大径円筒部１２ａと、竿杆１ａの外側に位置する小径円筒部１２ｂとを備えて一体形成されており、好ましくは、握持部材２は、各円筒部の外側に接着剤等によって固定される。すなわち、このように固定することによって、握持部材２を捩じったりした際に、切れや裂け目が生じることを防止することが可能となる。なお、小径円筒部１２ｂは、竿杆１ａの内側に挿入して取着される構成であっても良い。
【００１６】
大径円筒部１２ａの基端側には、雌ネジ部１２ｃが形成されており、ここに、高比重部材１０を後端側から隠蔽する尻栓１５が螺入されるようになっている。この尻栓１５は、図６に示すように、金属、樹脂等の材料によって、有底の円筒形状に形成されており、底部分の露出領域には、コイン等を係合させて回転操作できるように長溝１５ａが形成されている。また、円筒部分には、外周面側に雄ネジ部１５ｂが、内周面側に雌ネジ部１５ｃが形成されており、かつ円筒部分の基端側外周には、円周溝１５ｄが形成されている。これらのネジ部１５ｂ，１５ｃには、夫々前記竿尻リング１２の雌ネジ部１２ｃが螺合されると共に、高比重部材１０の本体部１０ａに形成された雄ネジ部１０ｃが螺合されるようになっている。
【００１７】
上記した各構成部材は、まず、握持部材２の薄肉厚部分の内面に、竿尻リング１２が接着剤、両面テープ等によって固定され、これが竿杆１ａの外周に取着される。この状態で高比重部材１０を螺合固定した尻栓１５が、竿尻リング１２の後方開口から螺合されることによって、高比重部材１０が釣竿後端に装着される。この場合、予め固定される尻栓１５と高比重部材１０との間、すなわち、高比重部材１０の本体部１０ａに形成された前記段部１０ｄと尻栓１５の先端縁との間に弾性部材を介在しておくことが好ましい。このような弾性部材を介在しておくことにより、高比重部材１０のガタ付きを効果的に防止することができる。なお、弾性部材は、図に示すように、Ｏリング２０で構成したり、軸方向に弾性変形するバネ部材等によって構成することが可能である。
【００１８】
また、高比重部材１０を組み付けた尻栓１５を竿尻リング１２に螺合させる際、尻栓と竿尻リングとの間、すなわち、尻栓１５に形成された円周溝１５ｄに同様な弾性部材を介在しておくことが好ましい。このような弾性部材を介在しておくことにより、装着される尻栓１５のガタ付きを効果的に防止することができる。なお、弾性部材は、図に示すように、Ｏリング２１で構成したり、軸方向に弾性変形するバネ部材等によって構成することが可能である。
【００１９】
上記した構成の釣竿によれば、以下の作用、効果が得られる。  
上述したように、高比重部材１０の外径Ｄ１が、竿杆１ａの外径ｄより大きいため、細径の釣竿（ルアーロッドや軽量の船竿等）であっても、重心位置を効率的に後方側にシフトさせることが可能となり、効果的に釣竿バランスの調整が行なえるようになる。しかも、高比重部材１０の外径Ｄ１は、握持部材２の外径Ｄよりも小径に形成されていることから、高比重部材１０が径方向外側に突出することはなく、見栄えが良くなると共に、使用時に当たり等がなくなって、緩みや脱落等を効果的に防止することができる。なお、本実施形態では、高比重部材１０は、握持部材２によって覆われていることから、握り込んだ際に違和感が生じることなく、握り心地が良好になる。
【００２０】
また、高比重部材１０の本体部１０ａに、更に挿入部１０ｂを形成することによって、より重量物を効果的に配置することができ、釣竿バランスの調整が容易に行なえるようになると共に、高比重部材１０の装着状態の安定化が図れるようになる。この場合、高比重部材１０を、金属製の竿尻リング１２に保持させることにより、竿尻リング自体の重量によっても、重心の後方側へのシフトが可能になる。また、竿尻リング１２の内端面１２ｄによって、高比重部材１０が前方に移動するようなことも防止される。
【００２１】
高比重部材１０は、円筒部の両面にネジ部が形成された尻栓１５に予め螺合されており（ユニット化されている）、かつこれを握持部材２に固着された竿尻リング１２に螺合させる構成であるため、着脱操作が容易に行なえると共に、各部材の接合箇所にＯリング２０，２１を介在させたことから、ガタ付き等を効果的に防止することが可能となる。なお、高比重部材１０の交換が容易に行なえるように、上記した挿入部１０ｂの外周面に、ローレット目を形成する等、高摩擦処理を施しておくことが好ましい。
【００２２】
また、前記高比重部材１０の挿入部１０ｂの先端に、更に細径の突出部１０ｅを形成しておき、この突出部１０ｅと竿杆１ａの内面との間に、ガタ付き防止部材２５、例えば、ゴムのような弾性部材を配置しておくことが好ましい。このようなガタ付き防止部材２５を、高比重部材１０と竿杆１ａ内面との間に配置することで、釣竿操作時において、ガタ付きをより効果的に防止することが可能になる。なお、このようなガタ付きの防止手段として、それ以外にも、竿杆１ａの内面を前細りテーパ面とし、ここに高比重部材１０の挿入部１０ｂの前端外面が圧接されるように構成しても良い。
【００２３】
また、握持部材２を柔軟性のある部材で構成した場合、前記竿尻リング１２の外面に対して接着等によって固定することで、握持部材に回転方向に力が作用しても、切れ、裂けが生じることを効果的に防止することが可能となる。
【００２４】
次に、本発明の別の実施形態について説明する。なお、以下に説明する実施形態では、前記実施形態と同様な構成部材については、同一の参照符号を付し、詳細な説明については省略する。
【００２５】
図７は、本発明に係る釣竿の第２の実施形態を示す図であり、握持部材部分を拡大して示す図、図８は、図７に示す釣竿の高比重部材の装着部分を示す断面図である。  
この実施形態では、上記した実施形態における竿杆１ａの外周に取着される握持部材が軸方向に分断された前方握持部材３０と後方握持部材３１とで構成され、かつ、その間に竿杆１ａが露出するように構成されている。また、後方握持部材３１は、竿杆１ａの後端縁Ｐから、後方に突出することなく形成されており、竿杆１ａと後方握持部材３１との間に介在される竿尻リング１２の大径円筒部１２ａを露出させて、高比重部材１０を覆うように構成している。
【００２６】
この場合、後方握持部材３１の外面と、竿尻リング１２の外面は、略面一となるように形成されており、露出状態にある竿尻リング１２に対する尻栓１５、及び高比重部材１０の取り付け方法については、上述した第１実施形態と同様な構成となっている。そして、このような構成においても、高比重部材１０は、その外径Ｄ１が後方握持部材３１の外径Ｄよりも小さく、かつ竿杆１ａの外径よりも大きくなるように形成されている。  
このような構成においても、上記した第１の実施形態と同様な作用効果が得られる。
【００２７】
図９は、本発明に係る釣竿の第３の実施形態を示す図であり、高比重部材の装着部分を示す断面図である。  
この実施形態では、上記した第２の実施形態における後方握持部材３１の外周に、更にそれとは異なる材料によって形成される握持部材３２を取着しており、この握持部材３２の竿杆１ａの後端縁Ｐから突出する部分の内側に、上記した竿尻リング１２を取着した構成となっている。このため、実際に手によって握持される領域となる握持部材３２は、コルク、ＥＶＡ、天然ゴム、合成ゴム、エラストマー、発泡材のように柔軟性のある部材で形成することが好ましく、内側の部材３１については、実際に握持されることはないので硬質な部材によって形成しておくことが可能である（もちろん柔軟性のある部材で形成しても良い）。
【００２８】
そして、この構成においても、竿尻リング１２に対する尻栓１５、及び高比重部材１０の取り付け方法については、上述した第１実施形態と同様な構成となっており、かつ高比重部材１０は、その外径Ｄ１が後方握持部材３２の外径Ｄよりも小さく、かつ竿杆１ａの外径よりも大きくなるように形成されている。  
このような構成においても、上記した第１の実施形態と同様な作用効果が得られる。
【００２９】
以上のように、本発明は、上記した第２の実施形態、及び第３の実施形態のように、釣竿に対して、着脱可能に構成される高比重部材１０が、釣竿操作時において、実際に手で握持される握持部材それ自身、もしくは握持部材と一体化される部材によって覆われていれば良く、その構成については、種々変形することが可能である。また、このような構成では、着脱される高比重部材１０の外径Ｄ１が、握持される部分の外径Ｄよりも小さく形成されており、かつ竿杆１ａの外径ｄより大きく形成されていれば良く、その形状や装着方法等については、適宜変形することが可能である。
【図面の簡単な説明】
【００３０】
【図１】本発明に係る釣竿の概略構成を示す図。
【図２】図１に示す釣竿の握持部材部分を拡大して示す図。
【図３】高比重部材の装着部分を示す断面図。
【図４】高比重部材の構成を示す図。
【図５】竿尻リングの構成を示す図。
【図６】尻栓の構成を示す図であり、（ａ）は、部分縦断面図、（ｂ）は、後方から見た図。
【図７】本発明の第２の実施形態を示す図であり、握持部材部分を拡大して示す図。
【図８】図７に示す釣竿の高比重部材の装着部分を示す断面図。
【図９】本発明の第３の実施形態を示す図であり、高比重部材の装着部分を示す断面図。
【符号の説明】
【００３１】
１  釣竿
１ａ  竿杆
２，３０，３１，３２  握持部材
１０  高比重部材
１０ａ  本体部
１０ｂ  挿入部（細径部）
１２  竿尻リング
１５  尻栓
【図１】
2005130711.tif 000003
【図２】
2005130711.tif 000004
【図３】
2005130711.tif 000005
【図４】
2005130711.tif 000006
【図５】
2005130711.tif 000007
【図６】
2005130711.tif 000008
【図７】
2005130711.tif 000009
【図８】
2005130711.tif 000010
【図９】
2005130711.tif 000011